(57)【要約】【課題】自由に両手が使える形で機械的スイッチなしに容易に作動させられる携帯用ライトを提供する。【解決手段】携帯用ライトであって、信号を放出するように構成されている送信器と、この送信器から信号を受け取るように構成されている受信器と、複数の発光モードを備える電気光源と、電源と、回路に接続されているコントローラとを有し、送信器と受信器と電気光源と電源とスイッチとがその回路内に含まれている。このコントローラは、スイッチと、受信器によって受け取られる信号に応答して複数の発光モードの間のまたは中での切り替えとを制御するように構成されている。【選択図】図１
2014107272.tif 000002
【特許請求の範囲】
【請求項１】
携帯用ライトであって、
信号を放出するように構成されている送信器と、
前記送信器から前記信号を受け取るように構成されている受信器と、
複数の発光モードを備える電気光源と、
電源と、
前記送信器と前記受信器と前記電気光源と前記電源とスイッチとを備える回路に接続されているコントローラであって、前記スイッチと、前記受信器によって受け取られる信号に応答して前記複数の発光モードの間のまたは中での切り替えとを制御するように構成されているコントローラ
とを備える携帯用ライト。
【請求項２】
前記複数の発光モードはフラッドライトモードとスポットライトモードを含む請求項１に記載の携帯用ライト。
【請求項３】
前記コントローラに接続されており、および、前記電気光源と前記送信器と前記受信器と前記コントローラの少なくとも１つに対する前記電源からの電力供給を制御するように構成されている手動スイッチをさらに備える請求項１に記載の携帯用ライト。
【請求項４】
前記コントローラに接続されている前記手動スイッチは、前記複数の発光モードの間でまたは中で前記電気光源を切り替えるように構成されている請求項３に記載の携帯用ライト。
【請求項５】
前記複数の発光モードの間のまたは中での前記電気光源の切り替えを制御するように構成されている、前記コントローラに接続されている手動スイッチをさらに備える請求項１に記載の携帯用ライト。
【請求項６】
前記信号は赤外光を含む請求項１に記載の携帯用ライト。
【請求項７】
前記信号は超音波を含む請求項１に記載の携帯用ライト。
【請求項８】
前記送信器は、前記電気光源から放出されるビームと共通の方向に前記信号を放出するように構成されている請求項１に記載の携帯用ライト。
【請求項９】
前記自動コントローラは、前記信号が進む距離と持続時間の少なくとも一方を計算するように、かつ、前記距離または持続時間が特定の値よりも大きいか小さい時に前記複数のモードの１つを選択するように構成されている請求項１に記載の携帯用ライト。
【請求項１０】
ユーザが前記値を選択することを可能にするように構成されている前記コントローラに接続されている手動スイッチをさらに備える請求項９に記載の携帯用ライト。
【請求項１１】
前記コントローラは、前記受信器によって受け取られる信号に応答して前記電気光源によって放出されるビームの強度を増減させるように構成されている請求項１に記載の携帯用ライト。
【請求項１２】
前記手動スイッチに応答する前記電気光源によって放出されるビームの強度を増減させるように構成されている、前記コントローラに接続されている手動スイッチをさらに備える請求項１に記載の携帯用ライト。
【請求項１３】
前記コントローラは、前記受信器によって受け取られる信号に応答して前記電気光源を断続的に点滅させるように構成されている請求項１に記載の携帯用ライト。
【請求項１４】
前記電気光源が断続的に点滅している間に前記手動スイッチに応答するストロボモードを選択するように構成されている、前記コントローラに接続されている手動スイッチをさらに備える請求項１に記載の携帯用ライト。
【請求項１５】
取り付け台をさらに備える請求項１に記載の携帯用ライト。
【請求項１６】
前記取り付け台は、前記携帯用ライトが乗物に着脱自在に締め付け固定されることを可能にするように構成されている請求項１５に記載の携帯用ライト。
【請求項１７】
前記取り付け台は、前記携帯用ライトが自転車に着脱自在に締め付け固定されることを可能にするように構成されている請求項１５に記載の携帯用ライト。
【請求項１８】
前記取り付け台は、前記携帯用ライトが本に着脱自在に締め付け固定されることを可能にするように構成されている請求項１５に記載の携帯用ライト。
【請求項１９】
前記携帯用ライトはユーザによって着用されるように構成されている請求項１に記載の携帯用ライト。
【請求項２０】
前記携帯用ライトはユーザの頭部上に着用されるように構成されている請求項１９に記載の携帯用ライト。
【発明の詳細な説明】
【技術分野】
【０００１】
本発明は多重ビームとハンズフリースイッチ（ｈａｎｄs−ｆｒｅｅ  ｓｗｉｔｃｈ）とを有する光源に関する。
【背景技術】
【０００２】
多くの従来の懐中電灯（ｆｌａｓｈｌｉｇｈｔ）またはランプは、フラッシュライトをオンオフするために、または、種々のモードの間で光を切り替えるために、１つまたは複数の組の電気接点を開閉する機械的スイッチ機構を作動させる押しボタンを使用してオン／オフさせられる。例えば、ランプは、スポットライトまたはフラッドライト（ｆｌｏｏｄ  ｌｉｇｈｔ）を提供するために多重ビームを含むことがある。例えばユーザが両手の使用を必要としており、かつ、ランプを動作させる上で手が自由に使える状態ではない状況のような、機械的スイッチがユーザにとって負担となる用途がある。こうした状況は、一般的に、消防士、ファーストレスポンダー（ｆｉｒｓｔ  ｒｅｓｐｏｎｄｅｒ）、および、軍隊／警備要員によって緊急的な状況において一般的に体験されている。緊急的な状況に加えて、自由に両手が使えることの必要性が、高所のワイヤ（ｈｉｇｈ  ｗｉｒｅ）または電柱に頻繁に接近する設備作業員、または、地下で作業する鉱山作業員のような、工業／商業的環境において一般的に必要とされている。こうした状況では、自由に両手が使えることが、決定的に重要な安全上の関心事である。
【発明の概要】
【発明が解決しようとする課題】
【０００３】
したがって、自由に両手が使える形で機械的スイッチなしに容易に作動させられる光源を有することが必要とされている。
【課題を解決するための手段】
【０００４】
本発明の一実施態様では、信号を放出するように構成されている送信器と、この送信器からの信号を受信するように構成されている受信器と、複数の発光モード（light modes）を有する電気光源と、電源と、送信器と受信器と電気光源と電源とスイッチとを備える回路に接続されているコントローラとを備える、自由に手が使える形で操作されることが可能な携帯用ライトが開示されている。コントローラは、スイッチと、受信機によって受信される信号に応答した複数の発光モードの間の切り替えとを制御するように構成されている。
【０００５】
本発明がより完全に理解されるように、次の図面が例示のために提供されている。
【図面の簡単な説明】
【０００６】
【図１】図１は、本発明の一実施形態によるランプの左斜視図である。
【図２】図２は、図１のランプの右斜視図である。
【図３】図３は、図１のランプの正面図である。
【図４】図４は、図１のランプの背面図である。
【図５】図５は、図１のランプの平面図である。
【図６】図６は、図１のランプの底面図である。
【図７】図７は、図１のランプの左側面図である。
【図８】図８は、図１のランプの右側面図である。
【図９】図９は、電源およびコントローラハウジングと組み合わされている図１の実施形態によるランプの左斜視図である。
【図１０】図１０は、図９のランプおよびハウジングの組み合わせの右斜視図である。
【図１１】図１１は、図９のランプおよびハウジングの組み合わせの正面図である。
【図１２】図１２は、図９のランプおよびハウジングの組み合わせの背面図である。
【図１３】図１３は、図９のランプおよびハウジングの組み合わせの平面図である。
【図１４】図１４は、図９のランプおよびハウジングの組み合わせの底面図である。
【図１５】図１５は、図９のランプおよびハウジングの組み合わせの左側面図である。
【図１６】図１６は、図９のランプおよびハウジングの組み合わせの右側面図である。
【図１７（ａ）】図１７（ａ）は、本発明の一実施形態による携帯用ライトのための回路図である。
【図１７（ｂ）】図１７（ｂ）は、本発明の一実施形態による携帯用ライトのための回路図である。
【図１７（ｃ）】図１７（ｃ）は、本発明の一実施形態による携帯用ライトのための回路図である。
【図１７（ｄ）】図１７（ｄ）は、本発明の一実施形態による携帯用ライトのための回路図である。
【図１７（ｅ）】図１７（ｅ）は、本発明の一実施形態による携帯用ライトのための回路図である。
【図１７（ｆ）】図１７（ｆ）は、本発明の一実施形態による携帯用ライトのための回路図である。
【図１８】図１８は，本発明の一実施形態によるライトの自動距離検出動作の第１の説明図である。
【図１９】図１９は、図１８の動作の第２の説明図である。
【発明を実施するための形態】
【０００７】
本発明は、ランプを操作するための機械的スイッチの使用を必要としない、ランプのような光源を提供する。本発明は、ヘッドランプ、懐中電灯、ランタン、スポットライト、バイク用ライト（ｂｉｋｅ  ｌｉｇｈｔ）、および、読書用ライト（ｂｏｏｋ  ｌｉｇｈｔ）のような種々のタイプの携帯用照明具の形態であるだろう。したがって、本発明は、緊急事態のような、ユーザがライトを操作するために自由に手を使うことができない用途において、特に有用であるが、本発明はこうした用途だけに限定されない。
【０００８】
本発明の一実施形態では、光源は、少なくとも２つのモード、すなわち、スポットライトとフラッドライトを含む、ＬＥＤランプである。光源に対する電力の制御と、その２つのモードの間の切り替えの制御とが、機械的スイッチなしに実現されるだろう。この制御は、信号発信器と信号受信器と、信号が進む距離を認識することが可能なコントローラとの使用によって実現される。当業者によって理解されるように、例えば、赤外（ＩＲ）発光素子または超音波エミッタを含む、種々のタイプの信号生成手段が使用されるだろう。ＩＲの使用が、本発明の例示的な実施形態で使用されている。
【０００９】
本発明は、１つまたは複数の組の信号送信器または受信器を含むだろう。一実施形態では、本発明は、ランプハウジングを有するランプの形態であり、ＩＲ発信器とＩＲ受信器とがランプハウジングの前部に取り付けられている。ライトがオンにされると、コード化されたＩＲ信号がＩＲ送信器によって放出される。ＩＲ送信器からの特定の距離の範囲内に障害物が位置している場合には、ＩＲ信号がその障害物から反射してＩＲ受信器によって受信されるだろう。特定の範囲内に障害物が存在することをコントローラが認識すると、フラッドライトが点灯させられる。その範囲内に障害物が検出されない時には、コントローラはフラッドライトを消灯させ、かつ、スポットライトを点灯させるだろう。
【００１０】
当業者には理解されるように、フラッドライトとスポットライトのためのトリガが、上述したものとは逆にされることがあり、または、応答をトリガする距離の範囲が、受信器の所望の感度と意図されたランプの用途とに応じて、降下させられ、上昇させられ、狭められ、または、広げられることがある。さらに、送信器と受信器はハウジング内の異なる位置に別々に配置されることがある。ＩＲ送信器および受信器をランプの前部上に配置することによって、ＩＲ信号がその光と概ね同一の方向に放出されるだろう。したがって、ユーザが移動するにつれて、そのモードがスポットライトまたはフラッドライトに自動的に切り替わり、状況に応じて適切な量の光を提供するだろう。例示的な実施形態では、障害物が認識されると、携帯用ライトに関連付けられているコントローラが、光源から短距離にある何かを照明する時に有用である柔らかでかつ広幅のビームを有するフラッドライトを点灯させるようにプログラムされている。遠方の対象物を照らす時には、スポットライトのようなより明るくかつ狭幅であるビームがフラッドライトよりも有用である場合が多い。
【００１１】
本発明の別の実施形態では、このランプは、ハウジングの前部上に第１の対の信号送信器および受信器を有することに加えて、ランプハウジングの側部上に第２の対の信号送信器および受信器も含むだろう。この第２の対の信号送信器および受信器は、種々のモードをトリガするために障害物または動きを検出することによって同様の仕方で動作するだろう。例えば、ユーザが、第２の対の信号送信器および受信器の前方で手を振り動かすことがある。コントローラは、第２の対の信号送信器および受信器の前方の特定の距離範囲（例えば０ｃｍから３０ｃｍ）内に障害物が存在することを認識し、スポットライトとフラッドライトとの間の切り替えを生じさせ、または、種々の光の強度（すなわち、高、中、低の光）の間の切り替えまたはストロボモードのような種々の他のモードを起動させるだろう。この第２の対の信号送信器および受信器は、さらに、ユーザがフラッドライトとスポットライトの間の切り替えを強制的に生じさせるように、第１の対の信号送信器および受信器を無効化するために使用されることがある。第２の対の信号送信器および受信器を含むことが、ユーザが手を用いずにランプの種々の機能を制御することを可能にし、このことは、ユーザが、例えば、両手で工具を保持しいる場合、さもなければ機械的スイッチを操作することが不可能である場合に、有利だろう。
【００１２】
次に、同じ番号が同じ部品を示す添付図面を参照するが、図１から図８が、光源を収容するヘッドランプ１０の形態である本発明の一実施形態を示す。ヘッドランプ１０は、ユーザの頭部上に着用されるかまたはヘルメットに取り付けられることがある、本発明の単なる例示的な一具体例にすぎない。他の例示的な実施形態が、ユニフォーム用の携帯用ライト、自動車または自転車のような乗物用の携帯用ライトを含む。ヘッドランプ１０は基部１２とランプハウジング１４とを含む。任意の適切な材料が基部１２とランプハウジング１４とを製造するために使用できる。例示的な一実施形態では、基部１２とランプハウジング１４は、プラスチックのような同一の材料で作られている。基部１２は、表面、ユーザの頭部、または、ヘルメットにヘッドランプ１０を締め付け固定するために、中を通してベルトまたはストラップ（図示されていない）が挿入されることがある溝１３を含む。当業者には理解されるように、基部１２は、ヘッドランプ１０が着用されるかまたは表面上に着脱自在に取り付けられることを可能にする他の締め付け固定手段を含むことがある。このようにして、基部１２は取り付け台として機能する。ランプハウジング１４が取り付けられている２つの概ね垂直なアーム１６、１８が、基部１２から延びる。例示的な一実施形態では、ランプハウジング１４とアーム１６、１８との間の取り付けは、ランプハウジング１４が回転または旋回することを可能にされ、これによってユーザが特定の方向に光源を方向付けることを可能にするような取り付けである。ランプハウジング１４が手動で回転させられてもよく、または、代替策として、モータまたは他の何らかの機械的手段がランプハウジング１４の位置を調整するために使用されるだろう。
【００１３】
ランプハウジング１４は、光または信号が放出されることがある前面２０を含む。図１から図８に示されている本発明の例示的な実施形態では、ランプハウジング１４は、光源としてのスポットライト２２およびフラッドライト２４と、ＩＲ送信器２６と、ＩＲ受信器２８とを含む。ＩＲ送信器２６とＩＲ受信器２８とをランプハウジング１４の前面２０上に配置することによって、ＩＲ送信器２６からのＩＲ信号と（スポットライト２２またはフラッドライト２４のような）光源からの光ビームとが、共通の方向に送出され、および、制御回路４９（図１７）が、光源から特定の距離範囲内の障害物を認識して照明することが可能である。制御回路４９は、例えば、飛行時間を測定することによって、または、ＩＲ送信器２６によって放出される信号の強度を、ＩＲ受信器２８によって受け取られるＩＲ信号に対して比較することによって、これを実現することが可能である。制御回路４９は、信号が進む距離と持続時間との少なくとも一方を計算するように、および、予め決められているかまたはプログラムされている目標値または設定値に比べてその距離が大きいかまたは小さい時に複数のモードの中の１つのモードを選択するように、構成されている。この目標値または設定値は、任意選択的に、ユーザによって選択される距離であってもよい。
【００１４】
例示的な一実施形態では、障害物が近距離範囲内に存在する時に、ＩＲ送信器２６によって放出されるＩＲ信号がＩＲ受信器２８によって受け取られ、および、フラッドライト２４が点灯させられるだろう。フラッドライト２４による照明をトリガする障害物の最大距離が、障害物が十分に照明されるように、フラッドライト２４が放出することが可能な光の強度に対応していることが好ましい。障害物がない場合、すなわち、ＩＲ受信器２８がＩＲ信号を受け取らない時には、ヘッドラップ１０のデフォルトのモードはスポットライト２２のモードである。例示的な一実施形態では、スポットライト２２またはフラッドライト２４によって放出される最大ルーメンが、ヘッドランプ１０に関する用途に基づいて選択される。例えば、読書用ライトのような屋内の用途のために必要とされる最大ルーメンは、夜間の屋外使用が意図されているランプに必要なルーメンよりも低いだろう。
【００１５】
ヘッドランプ１０は、さらに、例えばアーム１８上に位置している、ヘッドランプ１０の側部上の第２のＩＲ送信器３０と第２のＩＲ受信器３２とを含むだろう。上述したように、ＩＲ送信器３０およびＩＲ受信器３２は、ＩＲ送信器２６およびＩＲ受信器２８と同じ仕方で動作する。ユーザは、特定の予め設定された範囲内にある距離において、ＩＲ送信器３０とＩＲ受信器３２との前方で、単純に手を振り動かすか、または、工具のような物品を振り動かすだろう。信号がＩＲ受信器３２によって受け取られると、制御回路４９は、これにしたがって、フラッドライト２４またはスポットライト２２を点灯させるか、または、光の強度を調節するか、または、ストロボライトを点灯させるだろう。制御回路４９は、障害物または動きがＩＲ受信器３２によって検出される毎にヘッドランプ１０が種々のモードの各モードの間でまたはその中で切り替わるように、プログラムされているだろう。あるいは、この代わりに、制御回路４９は、障害物の距離に応じて発光モードを起動するようにプログラムされているだろう。例えば、ＩＲ送信器３０およびＩＲ受信器３２の５センチメートル以内で手を振り動かすことがストロボ機能を起動させるだろうし、一方、ＩＲ送信器３０およびＩＲ受信器３２の１０センチメートルから２０センチメートル以内で手を振り動かすことが、ユーザが種々の光強度（すなわち、低、中、高）の間で切り替えることを可能にするだろう。
【００１６】
本発明は機械的スイッチを不要にすることが意図されているが、本発明によって作られているランプは、自動制御される機能を無効化するために使用される手動スイッチを含むだろう。例示的な一実施形態では、この手動スイッチは機械的スイッチである。例えば、図３と図５とを参照すると、第１の手動スイッチ２１と第２の手動スイッチ２３がランプハウジング１４の頂部上に配置されている。スイッチ２１はスポットライト２２とフラッドライト２４との間を手動で切り替えるために使用されるだろうし、および、スイッチ２３は、これらのライトでの間の切り替えのための自動距離検出をトリガするために使用されるだろう（または、これとは逆の場合も同様）。当業者には理解されるように、本発明によって作られるランプは、そのシステム内の種々の構成要素（すなわち、スポットライト２２、フラッドライト２４、ＩＲ送信器２６、受信器２８、および、制御回路４９）に電力を供給するために、または、そのライトの明るさを含む複数の発光モードの間で電気光源を切り替えるために、１つまたは複数の手動式の機械的スイッチを含むだろう。
【００１７】
次に図９から図１６を参照すると、ヘッドランプ１０は電池ハウジング３６と共に示されている。電池ハウジング３６をヘッドランプ１０に接続する絶縁コード３８のような任意の手段が使用されてよく、および、こうした接続方法は当業者に理解されている。コード３８は、ヘッドランプ１０のアーム１６上に配置されているコネクタ３４に接続する。コード３８は、ヘッドランプ１０内の構成要素と電池ハウジング３６との間で電流および／または信号を送るための複数の導電性ワイヤを含むだろう。電池ハウジング３６は、そのシステム内の種々の構成要素のための電源を含む。例示的な一実施形態では、この電源は電池の形態であり、および、再充電可能だろう。電池が再充電可能である場合には、電池ハウジング３６は、アダプタを受け容れるようになっている入力を含むだろうし、したがって、この再充電可能な電池は、標準的な電気コンセントのような従来通りの手段を使用して再充電されるだろう。
【００１８】
コード３８は、接続点３７において電池ハウジング３６に接続されている。インジケータ４８が接続点３７に隣接している。インジケータ４８は、ヘッドランプ１０の状態に関する情報を提供する。こうした情報は、電池の充電の状態、または、自動距離検出のような特定のモードまたは設定がすでに起動されているかどうかを含むが、これらに限られないだろう。電池ハウジング３６は、さらに、ヘッドランプ１０の基部１２に類似した取り付けプレート４０を含むだろう。この取り付けプレート４０は、ベルトまたはストラップを使用することによって電池ハウジング３６を締め付け固定するために使用されることがある複数の溝４２、４４、４６を含むだろう。ヘッドランプ１０がヘルメットまたはユーザの額の前部に締め付け固定されることがあるので、基部１２の形状と位置は、ヘルメットの背部またはユーザの頭部の背部に電池ハウジング３６を取り付けるように構成されているだろう。電池ハウジング３６は、例示的な実施形態ではプラスチックで作られているランプハウジング１４および基部１２と同様の材料で作られるだろう。
【００１９】
したがって、本発明によって、信号を放出するように構成されている送信器と、反射される場合が多い送信器からの信号を受け取るように構成されている受信器と、複数の発光モードを備える電気光源と、電源と、送信器と受信器と電気光源と電源とスイッチとを備える回路に接続されているコントローラとを含む、携帯用ライトが開示される。このコントローラは、スイッチと、受信器によって受け取られる信号に応答した複数の発光モードの間の切り替えとを制御するように構成されている。この携帯用ライトは、任意選択的に、電気光源と送信器と受信器とコントローラとの少なくとも１つに対する電源からの電力供給を制御するように構成されている手動コントローラをさらに含むことがある。
【００２０】
当業者には理解されるように、ヘッドランプ１０の種々の電子構成要素を接続する制御回路４９のような本発明による一実施形態のための制御回路は、種々の形で設計されるだろう。図１７を参照すると、制御回路４９のための例示的な回路図が示されている。図１７では、制御回路４９の第２のセグメント５２内に配置されている手動スイッチＳ１を作動させることによってオンオフされる、スポットライトＬＥＤ１とフラッドライトＬＥＤ２とを含む、制御回路４９の第１のセグメント５０（点線のボックスで表されている）が示されている。さらに、コントローラ（または、チップ）Ｕ２がセグメント５２内に配置されており、このコントローラＵ２は、スイッチＳ１によって、または、制御回路４９の第３のセグメント５４内のＩＲ受信器ｒｅ１、ｒｅ２によって受け取られる信号によって、スポットライトＬＥＤ１とフラッドライトＬＥＤ２の種々の動作モードの間の切り替えを制御する。この信号は制御回路４９の第４のセグメント５６内のＩＲ送信器Ｄ５、Ｄ６によって生成される。コントローラＵ２とＩＲ送信器Ｄ５、Ｄ６とのための安定した電力供給を確実なものにするための手段が、制御回路４９の第５のセグメント５８内に配置されている。
【００２１】
制御回路４９の例示的な動作方法では、スポットライトＬＥＤ１が、スイッチＳ１を一度目に動かす時に点灯させられる。スイッチＳ１を２度目に動かす時に、フラッドライトＬＥＤ２が点灯させられる。スイッチＳ１が３度目に動かされる時に、スポットライトＬＥＤ１がオフにされる。スポットライトＬＥＤ１とフラッドライトＬＥＤ２との間の切り替えが、スイッチＳ１を動かすことなしに、しかし、この代わりに、（ＩＲ受信器２８のような）ＩＲ受信器が障害物の存在を認識するように、または、ランプハウジングの付近での動きを検出することが可能であるように、手のような障害物を（ＩＲ送信器２６のような）ＩＲ送信器の前方で振り動かすことによって、同一の仕方で実現されるだろう。この障害物が特定の距離範囲内で検出される場合には、上述した種々のモードの間の切り替えを起動するコントローラＵ２に対して信号が送られる。
【００２２】
第２の手動スイッチＳ２も、セグメント５２内に配置され、その第２の手動スイッチが動かされる時に自動距離検出を起動する。スイッチＳ２が一度動かされる時に、コントローラＵ２がＩＲ送信器Ｄ５、Ｄ６に電力を供給し、こうして自動距離検出を起動する。図１８を参照すると、自動距離検出の例示的な具体例が、例えば３．５メートル未満の特定の距離Ｌの範囲内に障害物６６が存在する時にＩＲ送信器６４からの信号を受け取る、ランプ６２の前部上に取り付けられているＩＲ受信器６０を含む。ＩＲ送信器６４が、さらに、ランプ６０の前部上に取り付けられている。この状況では、ＩＲ受信器６０は、その信号の認識時にフラッドライト６８を起動させる信号を送るだろう。３．５メートルの範囲内に障害物が存在しない場合には、図１９に示されているように、ＩＲ受信器６０によっては信号が受け取られず、この結果として、フラッドライト６８の動作停止とスポットライト７０の起動とが生じさせられる。動作中には、特定の距離範囲内に障害物が検出されるかどうかに基づいて、スポットライトからフラッドライトへ（または、この逆に）モードが自動的に切り替えられるだろう。この自動距離検出は、例えば、ランプの側部上に配置されている第２の対の信号送信器および受信器によって障害物または動きが検出される時に、無効化されるだろう。
【００２３】
図１７のセグメント５０、５２、５４、５６、５８は、ヘッドランプ１０の種々の構成要素内に収容されていることがある単一または多数のプリント回路基板上に見出されるだろう。例えば、セグメント５０、５２、５４、５６、５８の１つまたは複数を含むプリント回路基板が、ランプハウジング１４または電池ハウジング３６の一方または両方の中に配置されているだろう。例示的な実施形態では、コントローラＵ２とスポットライト２２とフラッドライト２４とＩＲ送信器２６とＩＲ受信器２８とに接続されているプリント回路基板が、ランプハウジング１４内に配置されており、一方、インジケータ４８に接続されている別個のプリント回路基板が、電池ハウジング３６内に配置されている。
【００２４】
本発明の好ましい実施形態が本明細書で示され説明されてきたが、こうした実施形態が単なる例示のためにだけ提示されているということを理解されたい。様々な変形と変更と置き換えとが、本発明の着想から逸脱することなしに当業者に明らかになるだろう。したがって、添付されている特許請求の範囲の記載が本発明の範囲内に含まれるこうした変形のすべてを含むということが意図されている。
【符号の説明】
【００２５】
１０    ヘッドランプ
１２    基部
１３    溝
１４    ランプハウジング
１６、１８    アーム
２０    ランプハウジングの前面
２１    第１の手動スイッチ
２２    スポットライト
２３    第２の手動スイッチ
２４    フラッドライト
２６、３０    ＩＲ送信器
２８、３２    ＩＲ受信器
【図１】
2014107272.tif 000003
【図２】
2014107272.tif 000004
【図３】
2014107272.tif 000005
【図４】
2014107272.tif 000006
【図５】
2014107272.tif 000007
【図６】
2014107272.tif 000008
【図７】
2014107272.tif 000009
【図８】
2014107272.tif 000010
【図９】
2014107272.tif 000011
【図１０】
2014107272.tif 000012
【図１１】
2014107272.tif 000013
【図１２】
2014107272.tif 000014
【図１３】
2014107272.tif 000015
【図１４】
2014107272.tif 000016
【図１５】
2014107272.tif 000017
【図１６】
2014107272.tif 000018
【図１７（ａ）】
2014107272.tif 000019
【図１７（ｂ）】
2014107272.tif 000020
【図１７（ｃ）】
2014107272.tif 000021
【図１７（ｄ）】
2014107272.tif 000022
【図１７（ｅ）】
2014107272.tif 000023
【図１７（ｆ）】
2014107272.tif 000024
【図１８】
2014107272.tif 000025
【図１９】
2014107272.tif 000026